(57)【特許請求の範囲】
【請求項１】
他の部分より周辺側に突出した鍔部を備えた物品を含む被包装物を包装するのに用いられる紙系材料からなる包装材であって、
平面形状が略コ字状で、上面側に、前記物品の鍔部がはまり込んで支持される段部を備えており、被包装物本体の両端面及び該両端面から両側面に回り込んだ部分を被覆して保護する一対の端面側保持部と、
底面部と、その周囲に形成された側壁部を備えた構造を有し、前記被包装物本体の両端面及び該両端面から両側面に回り込んだ部分を被覆するように配設された前記一対の端面側保持部材の下部外側に、前記側壁部がはまり込み、被包装物の底面を被覆して保護する底面側蓋部材と、
上面部と、その周囲に形成された側壁部を備えた構造を有し、前記被包装物本体の両端面及び該両端面から両側面に回り込んだ部分を被覆するように配設された前記一対の端面側保持部材の上面側の段部内に、前記側壁部がはまり込むように配設されて、前記鍔部を備えた物品の上面側を保護する上面側内蓋部材と、
上面部と、その周囲に形成された側壁部を備えた構造を有し、前記被包装物本体の両端面及び該両端面から両側面に回り込んだ部分を被覆するように配設された前記一対の端面側保持部材の上部外側に、前記側壁部がはまり込み、被包装物の上面側を被覆して保護する上面側外蓋部材と
を具備することを特徴とする包装材。
【請求項２】
前記上面側内蓋部材と、前記鍔部を備えた物品の上面の間に形成される空間に、前記鍔部を備えた物品の上面を覆うように配設される、略シート状の被包装物本体上面保護部材を備えていることを特徴とする請求項１記載の包装材。
【請求項３】
他の部分より周辺側に突出した鍔部を備えた物品を含む被包装物を紙系材料からなる包装材を用いて包装するための包装構造であって、
平面形状が略コ字状で、上面側に、前記物品の鍔部がはまり込んで支持される段部を備えた一対の端面側保持部材が、被包装物本体の両端面及び該両端面から両側面に回り込んだ部分を覆うように、被包装物本体の両端部に配設され、
底面部と、その周囲に形成され、前記一対の端面側保持部材の下部外側にはまり込む側壁部とを備えた底面側蓋部材が、前記被包装物の底面を覆うように配設され、
上面部と、その周囲に形成され、前記一対の端面側保持部材の上面側の段部内にはまり込む側壁部とを備えた上面側内蓋部材が、前記鍔部を備えた物品の上面を覆うように配設されているとともに、
上面部と、その周囲に形成され、前記一対の端面側保持部材の上部外側にはまり込む側壁部を備えた上面側外蓋部材が、前記被包装物の上面を覆うように配設されていること
を特徴とする包装構造。
【請求項４】
前記上面側内蓋部材と、前記鍔部を備えた物品の上面の間に形成される空間に、前記鍔部を備えた物品の上面を覆うように、略シート状の被包装物本体上面保護部材が配設され、該被包装物本体上面保護部材と前記上面側内蓋部材の間に、被包装物の一部を構成するプレート状部材が収容されていることを特徴とする請求項３記載の包装構造。
【請求項５】
前記被包装物が、
(ａ)前記鍔部を備えた物品に相当する乾燥器本体と、
(ｂ)前記上面側内蓋部材と、前記略シート状の被包装物本体上面保護部材の間に形成される空間に収容される、被包装物の一部を構成するプレート状部材に相当する天井取り付け用グリル板と、
(ｃ)前記鍔部を備えた物品と、前記底面側蓋部材の間に形成される空間に収容される、被包装物の一部を構成する換気ファン機構部と
を備えた浴室暖房乾燥機であることを特徴とする請求項４記載の包装構造。
【請求項６】
バンド状の締結部材により、前記底面側蓋部材と前記上面側外蓋部材の間に被包装物を保持、固定したことを特徴とする請求項３〜５記載の包装構造。
【発明の詳細な説明】
【０００１】
【発明の属する技術分野】
本願発明は、包装材及び包装構造に関し、詳しくは、被包装物を保管したり搬送したりする途中で、被包装物が損傷を受けないように包装するための紙系材料からなる包装材及び包装構造に関する。
【０００２】
【従来の技術及び発明が解決しようとする課題】
例えば、浴室暖房乾燥機、ガス加熱調理器具などの被包装物を搬送や保管のために包装する場合、従来は、包装材として、ダンボール紙などの紙製ボード状材料からなる容器（ダンボール箱）や、被包装物の所定の部分とダンボール箱の内壁との隙間を埋めるためのパッド（発泡スチロールなどを所定の形状に成形した成形体）などが用いられている。このパッドは、ダンボール箱内に被包装物を固定したり、被包装物の重量がダンボール箱の底面などに集中して加わることを防止したりする機能を果たすとともに、外部より加わる衝撃から被包装物を保護する機能を果たしている。
【０００３】
しかし、発泡スチロールなどの発泡樹脂からなるパッドは、使用後に、廃棄物として廃棄処理される際に公害を発生し易いという問題点がある。
【０００４】
また、公害の問題のないダンボール紙などの紙系材料を用いて包装する場合、十分な耐衝撃性を確保しようとすると、ダンボール紙などの紙系材料を複雑な構造に加工することが必要になり、紙系材料の使用量の増大や、加工コストの増大を招くという問題点がある。
【０００５】
本願発明は、かかる実情に鑑みてなされたものであり、廃棄処理される際に公害を発生するおそれのある発泡樹脂を用いることなく、被包装物を容易かつ確実に包装することが可能な紙系材料からなる包装材及びそれを用いた包装構造を提供することを目的とする。
【０００６】
【課題を解決するための手段】
上記目的を達成するために、本願発明（請求項１）の包装材は、
他の部分より周辺側に突出した鍔部を備えた物品を含む被包装物を包装するのに用いられる紙系材料からなる包装材であって、
平面形状が略コ字状で、上面側に、前記物品の鍔部がはまり込んで支持される段部を備えており、被包装物本体の両端面及び該両端面から両側面に回り込んだ部分を被覆して保護する一対の端面側保持部材と、
底面部と、その周囲に形成された側壁部を備えた構造を有し、前記被包装物本体の両端面及び該両端面から両側面に回り込んだ部分を被覆するように配設された前記一対の端面側保持部材の下部外側に、前記側壁部がはまり込み、被包装物の底面を被覆して保護する底面側蓋部材と、
上面部と、その周囲に形成された側壁部を備えた構造を有し、前記被包装物本体の両端面及び該両端面から両側面に回り込んだ部分を被覆するように配設された前記一対の端面側保持部材の上面側の段部内に、前記側壁部がはまり込むように配設されて、前記鍔部を備えた物品の上面側を保護する上面側内蓋部材と、
上面部と、その周囲に形成された側壁部を備えた構造を有し、前記被包装物本体の両端面及び該両端面から両側面に回り込んだ部分を被覆するように配設された前記一対の端面側保持部材の上部外側に、前記側壁部がはまり込み、被包装物の上面側を被覆して保護する上面側外蓋部材と
を具備することを特徴としている。
【０００７】
本願発明（請求項１）の包装材は、段部を備えた一対の端面側保持部材と、底面側蓋部材と、上面側内蓋部材と、上面側外蓋部材とを備えた構成を有しており、端面側保持部材の段部により被包装物を構成する物品の鍔部を支持するようにしているので、被包装物を構成する物品の鍔部が端面側保持部材の段部により支持され、包装後の被包装物（包装体）を積み重ねた場合の圧縮力に耐える強度（耐積み重ね強度）が向上するとともに、包装体の上部の包装構造が、上面側内蓋部材と上面側外蓋部材とからなる２重蓋構造となっているため、高い衝撃緩衝性を確保することが可能になり、信頼性が向上する。また、少ない包装部材点数で、鍔部を備えた物品を含む被包装物を容易に包装することが可能になるため、包装コストの低減を図ることが可能になる。
なお、本願発明において、被包装物本体とは、被包装物がその主要部を構成する部分と、部品や取り付け物品などを備えている場合における、前記主要部を意味する広い概念である。
また、本願発明（請求項１）の包装材においては、底面側蓋部材及び上面側外蓋部材の側壁部が、一対の端面側保持部材の上部及び下部の外側にはまり込むので、一対の端面側保持部材が、脱落しないように、被包装物の両端部に確実に配設されることになり、十分な信頼性が得られる。
【０００８】
また、請求項２の包装材は、前記上面側内蓋部材と、前記鍔部を備えた物品の上面の間に形成される空間に、前記鍔部を備えた物品の上面を覆うように配設される、略シート状の被包装物本体上面保護部材を備えていることを特徴としている。
【０００９】
上面側内蓋部材と、鍔部を備えた物品の上面の間に形成される空間に、鍔部を備えた物品の上面を覆うように配設される、略シート状の被包装物本体上面保護部材を備えた構成とした場合、被包装物がプレート状部材を備えている場合に、かかるプレート状部材を、略シート状の被包装物本体上面保護部材と上面側内蓋部材の間に、効率よく包装することが可能になる。
【００１０】
また、本願発明（請求項３）の包装構造は、
他の部分より周辺側に突出した鍔部を備えた物品を含む被包装物を紙系材料からなる包装材を用いて包装するための包装構造であって、
平面形状が略コ字状で、上面側に、前記物品の鍔部がはまり込んで支持される段部を備えた一対の端面側保持部材が、被包装物本体の両端面及び該両端面から両側面に回り込んだ部分を覆うように、被包装物本体の両端部に配設され、
底面部と、その周囲に形成され、前記一対の端面側保持部材の下部外側にはまり込む側壁部とを備えた底面側蓋部材が、前記被包装物の底面を覆うように配設され、
上面部と、その周囲に形成され、前記一対の端面側保持部材の上面側の段部内にはまり込む側壁部とを備えた上面側内蓋部材が、前記鍔部を備えた物品の上面を覆うように配設されているとともに、
上面部と、その周囲に形成され、前記一対の端面側保持部材の上部外側にはまり込む側壁部を備えた上面側外蓋部材が、前記被包装物の上面を覆うように配設されていること
を特徴としている。
【００１１】
一対の端面側保持部材を被包装物本体の両端部に配設して、被包装物本体の両端面及び該両端面から両側面に回り込んだ部分を被覆、保護し、底面側蓋部材により被包装物の底面を被覆、保護し、上面側内蓋部材により鍔部を備えた物品の上面側を被覆、保護するとともに、上面側外蓋部材により被包装物の上面側を被覆、保護することにより、紙系材料からなる包装材を用いて、複雑な包装作業を必要とすることなく、衝撃緩衝性能に優れた、信頼性の高い包装を行うことが可能になる。
すなわち、被包装物を構成する物品の鍔部を端面側保持部材の段部により支持して、包装後の被包装物（包装体）を積み重ねた場合の圧縮力に耐える強度（耐積み重ね強度）を向上させることが可能になるとともに、包装体の上部の包装構造を、上面側内蓋部材と上面側外蓋部材とからなる２重蓋構造として、高い衝撃緩衝性を実現することが可能になり、さらに、少ない包装部材点数で、鍔部を備えた物品を含む被包装物を効率よく包装して、包装コストの低減を図ることが可能になる。
【００１２】
また、請求項４の包装構造は、前記上面側内蓋部材と、前記鍔部を備えた物品の上面の間に形成される空間に、前記鍔部を備えた物品の上面を覆うように、略シート状の被包装物本体上面保護部材が配設され、該被包装物本体上面保護部材と前記上面側内蓋部材の間に、被包装物の一部を構成するプレート状部材が収容されていることを特徴としている。
【００１３】
上面側内蓋部材と、鍔部を備えた物品の上面との間に形成される空間に、略シート状の被包装物本体上面保護部材を、鍔部を備えた物品の上面を覆うように配設し、被包装物本体上面保護部材と上面側内蓋部材の間に、被包装物の一部を構成するプレート状部材を収容するようにした場合、被包装物がプレート状部材を備えている場合に、このプレート状部材を、効率よく包装することが可能になる。
【００１４】
また、請求項５の包装構造は、前記被包装物が、
(ａ)前記鍔部を備えた物品に相当する乾燥器本体と、
(ｂ)前記上面側内蓋部材と、前記略シート状の被包装物本体上面保護部材の間に形成される空間に収容される、被包装物の一部を構成するプレート状部材に相当する天井取り付け用グリル板と、
(ｃ)前記鍔部を備えた物品と、前記底面側蓋部材の間に形成される空間に収容される、被包装物の一部を構成する換気ファン機構部と
を備えた浴室暖房乾燥機であることを特徴としている。
【００１５】
本願発明の包装構造は、鍔部を備えた物品である乾燥器本体と、プレート状部材である天井取り付け用グリル板と、被包装物の一部を構成する換気ファン機構部とを備えた浴室暖房乾燥機の包装に適用した場合に、複雑な包装作業を必要とすることなく、衝撃緩衝性能に優れた、信頼性の高い包装を行うことが可能になり、特に有意義である。
【００１６】
また、請求項６の包装構造は、バンド状の締結部材により、前記底面側蓋部材と前記上面側外蓋部材の間に被包装物を保持、固定したことを特徴としている。
【００１７】
バンド状の締結部材により、底面側蓋部材と上面側外蓋部材の間に被包装物を保持、固定することにより、特に外箱などを必要とすることなく、衝撃緩衝性能に優れた、信頼性の高い包装を経済的に行うことができる。
【００１８】
【発明の実施の形態】
図１は本願発明の一実施形態にかかる包装材の構成を示す分解斜視図、図２は該包装材を用いた浴室暖房乾燥器（被包装物）の包装構造を示す分解斜視図、図３は本願発明の一実施形態にかかる包装材を用いて浴室暖房乾燥器を包装した状態を示す断面図、図４は本願発明の一実施形態にかかる包装材を用いて浴室暖房乾燥器を包装し、バンド状の締結部材により、底面側蓋部材と上面側外蓋部材の間に被包装物を保持、固定した状態を示す斜視図、図５は被包装物を構成する換気ファン機構部の構成を示す分解斜視図である。
【００１９】
この実施形態における被包装物は、図３に示すように、他の部分より周辺側（外周側）に突出した鍔部１を備えた物品（乾燥器本体）２と、プレート状部材である天井取り付け用グリル板３と、換気ファン機構部４とを備えた浴室暖房乾燥器であり、換気ファン機構部４は、図５に示すように、ファン機構部本体４ａ，部品を収容した部品箱４ｂなどを、底面パッド５、側面パッド６、天パッド７などを備えたダンボール紙製の容器８に収容した直方体形状の物品である。
【００２０】
なお、この実施形態においては、鍔部１を備えた乾燥器本体２と直方体形状の物品である換気ファン機構部４が、被包装物本体９を構成している。
【００２１】
また、この実施形態において用いられている包装材Ａは、衝撃から被包装物を保護する衝撃緩衝機能を果たす紙系材料（この実施形態ではダンボール紙）からなる包装材であって、図１〜図３に示すように、平面形状が略コ字状で、上面側に、乾燥器本体２の鍔部１を支持する段部１１を備えた構造を有し、被包装物本体９の両端面及び該両端面から両側面に回り込んだ部分を被覆して保護する一対の端面側保持部材１２と、底面部１３と、その周囲に形成された側壁部１４を備えた構造を有し、被包装物本体９の両端面及び該両端面から両側面に回り込んだ部分を被覆するように配設された一対の端面側保持部材１２の下部外側に、側壁部１４がはまり込むように配設されて、被包装物の底面を被覆して保護する底面側蓋部材１５と、上面部１６と、その周囲に形成された側壁部１７を備えた構造を有し、被包装物本体９の端面側及び両側面に回り込んだ部分を被覆するように配設された一対の端面側保持部材１２の上面側の段部１１内に、側壁部１７がはまり込むように配設されて、乾燥器本体２の上面側を保護する上面側内蓋部材１８と、この上面側内蓋部材１８と、鍔部１を備えた乾燥器本体２の上面との間に形成される空間に、乾燥器本体２の上面を覆うように配設され、上面側内蓋部材１８との間の空間に、被包装物の一部を構成する天井取り付け用グリル板（プレート状部材）３を収容できるようにする、略シート状の被包装物本体上面保護部材１９と、上面部２０と、その周囲に形成された側壁部２１を備えた構造を有し、被包装物本体９の両端面及び該両端面から両側面に回り込んだ部分を被覆するように配設された一対の端面側保持部材１２の上部外側に、側壁部２１がはまり込むように配設されて、被包装物の上面側を被覆して保護する上面側外蓋部材２２とを備えている。
【００２２】
なお、この実施形態では、包装材Ａを構成する一対の端面側保持部材１２、底面側蓋部材１５、上面側内蓋部材１８、上面側外蓋部材２２、被包装物本体上面保護部材１９はいずれも、ダンボール紙に、切断加工、打ち抜き加工、折り曲げ加工、あるいは要部を接着する接着加工などを施すことにより形成されている。
【００２３】
なお、端面側保持部材１２の段部１１も、ダンボール紙を折り曲げ加工することにより形成されている。また、被包装物本体上面保護部材１９は、中央部に切り起こし加工を施すことにより、穴を形成しており、乾燥器本体２の上面側に突出部があるような場合に、該突出部を逃がすことができるように構成されている。
【００２４】
次に、上記包装材Ａを用いた浴室暖房乾燥器の包装構造について、図１〜５を参照しつつ説明する。
【００２５】
まず、ファン機構部本体４ａ，部品を収容した部品箱４ｂなどを、底面パッド５、側面パッド６、天パッド７などを備えたダンボール紙製の容器８に収容した直方体形状の換気ファン機構部４（図５参照）上に、乾燥器本体２を積み重ねた被包装物本体９の両端側に、一対の端面側保持部材１２が配設され、かつ、一対の端面側保持部材１２の下部外側に、側壁部１４がはまり込むように底面側蓋部材１５が配設された状態とする。
【００２６】
それから、端面側保持部材１２の段部１１にはまり込むように、被包装物本体上面保護部材１９を配設し、この被包装物本体上面保護部材１９の上に、プレート状部材である天井取り付け用グリル板３を載置する。
【００２７】
次に、上面側内蓋部材１８の側壁部１７が、一対の端面側保持部材１２の段部１１内にはまり込むような態様で、上面側内蓋部材１８を配設し、さらにその上から、上面側外蓋部材２２を施し、一対の端面側保持部材１２の上部外側に、側壁部２１をはまり込ませることにより、被包装物の上面側を上面側外蓋部材２２によって被覆する。
【００２８】
その後、図４に示すように、バンド状の締結部材（この実施形態ではポリプロピレン製のバンド）２３により、底面側蓋部材１５と上面側外蓋部材２２の間に被包装物を保持、固定する。
【００２９】
この実施形態において用いた包装材Ａは、鍔部１を支持する段部１１を備えた一対の端面側保持部材１２と、底面側蓋部材１５と、上面側内蓋部材１８と、被包装物本体上面保護部材１９と、上面側外蓋部材２２とを備えており、端面側保持部材１２の段部１１により乾燥器本体２の鍔部１を支持するとともに、上面側内蓋部材１８と、被包装物本体上面保護部材１９の間に、被包装物の一部を構成する天井取り付け用グリル板３を収容し、かつ、バンド状の締結部材２３により、底面側蓋部材１５と上面側外蓋部材２２の間に被包装物を保持、固定するようにしているので、少ない部材点数で、被包装物を容易に包装することが可能になるとともに、被包装物本体９の鍔部１が端面側保持部材１２の段部１１により確実に支持されることから、包装後の被包装物（包装体）を積み重ねた場合の圧縮力に耐える強度（耐積み重ね強度）を向上させることが可能になり、さらに、包装体の上部の包装構造が、上面側内蓋部材１８と上面側外蓋部材２２からなる２重蓋構造となっているため、高い衝撃緩衝性を確保することが可能になる。また、少ない包装部材点数で、鍔部を備えた物品を含む被包装物を容易に包装することが可能になるため、包装コストの低減を図ることが可能になる。
【００３０】
なお、上記実施形態では、包装材Ａを構成する一対の端面側保持部材１２、底面側蓋部材１５、上面側内蓋部材１８、上面側外蓋部材２２、被包装物本体上面保護部材１９をダンボール紙から形成した場合について説明したが、ダンボール紙以外の紙系材料を用いることも可能であり、例えば、古紙原料を解繊した後、バインダーを添加して所定の形状に成形した古紙ボードなどを用いることも可能である。
【００３１】
また、上記実施形態では、被包装物が浴室暖房乾燥器である場合を例にとって説明したが、本願発明を適用することが可能な被包装物はこれに限られるものではなく、例えば、ガス加熱調理器その他の種々の被包装物（特に、他の部分より周辺側に突出した鍔部を備えた物品を含む被包装物）を包装する場合に広く本願発明を適用することが可能である。
【００３２】
また、上記実施形態では、被包装物本体９の上面側に、端面側保持部材１２の段部１１にはまり込むように、被包装物本体上面保護部材１９を配設し、この被包装物本体上面保護部材１９と、上面側内蓋部材１８の間に形成される空間に、プレート状部材である天井取り付け用グリル板３を載置するようにしているが、プレート状部材である天井取り付け用グリル板３を収容する必要がない場合には、被包装物本体上面保護部材１９を備えていない構成とすることも可能である。
【００３３】
また、上記実施形態では、バンド状の締結部材２３により、底面側蓋部材１５と上面側外蓋部材２２の間に被包装物を保持、固定するようにしているが、バンド状の締結部材を用いることなく、ステープラーのような治具により包装材Ａを構成する各部材を固定したり、あるいは全体を外箱に収容したりすることも可能である。
【００３４】
本願発明はさらにその他の点においても上記実施形態に限定されるものではなく、包装材を構成する一対の端面側保持部材、底面側蓋部材、上面側内蓋部材、上面側外蓋部材、被包装物本体上面保護部材などの具体的な形状や細部の構造などに関し、発明の要旨の範囲内において、種々の応用、変形を加えることが可能である。
【００３５】
【発明の効果】
上述のように本願発明（請求項１）の包装材は、段部を備えた一対の端面側保持部材と、底面側蓋部材と、上面側内蓋部材と、上面側外蓋部材とを備えた構成を有しており、端面側保持部材の段部により被包装物を構成する物品の鍔部を支持するようにしているので、被包装物を構成する物品の鍔部が端面側保持部材の段部により支持され、包装後の被包装物（包装体）を積み重ねた場合の圧縮力に耐える強度（耐積み重ね強度）が向上するとともに、包装体の上部の包装構造が、上面側内蓋部材と上面側外蓋部材とからなる２重蓋構造となっているため、高い衝撃緩衝性を確保することが可能になり、信頼性が向上する。また、少ない包装部材点数で、鍔部を備えた物品を含む被包装物を容易に包装することができるため、包装コストの低減を図ることができる。
【００３６】
また、請求項２の包装材のように、上面側内蓋部材と、鍔部を備えた物品の上面の間に形成される空間に、鍔部を備えた物品の上面を覆うように配設される、略シート状の被包装物本体上面保護部材を備えた構成とした場合、被包装物がプレート状部材を備えている場合に、かかるプレート状部材を、略シート状の被包装物本体上面保護部材と上面側内蓋部材の間に、効率よく包装することが可能になり、有意義である。
【００３７】
また、本願発明（請求項３）の包装構造は、一対の端面側保持部材を被包装物本体の両端部に配設して、被包装物本体の両端面及び該両端面から両側面に回り込んだ部分を被覆、保護し、底面側蓋部材により被包装物の底面を被覆、保護し、上面側内蓋部材により鍔部を備えた物品の上面側を被覆、保護するとともに、上面側外蓋部材により被包装物の上面側を被覆、保護するようにしているので、紙系材料からなる包装材を用いて、複雑な包装作業を必要とすることなく、衝撃緩衝性能に優れた、信頼性の高い包装を行うことができる。
すなわち、被包装物を構成する物品の鍔部を端面側保持部材の段部により支持して、包装後の被包装物（包装体）を積み重ねた場合の圧縮力に耐える強度（耐積み重ね強度）を向上させることが可能になるとともに、包装体の上部の包装構造を、上面側内蓋部材と上面側外蓋部材とからなる２重蓋構造として、高い衝撃緩衝性を実現することが可能になり、さらに、少ない包装部材点数で、鍔部を備えた物品を含む被包装物を効率よく包装して、包装コストの低減を図ることができる。
【００３８】
また、請求項４の包装構造のように、上面側内蓋部材と、鍔部を備えた物品の上面との間に形成される空間に、略シート状の被包装物本体上面保護部材を、鍔部を備えた物品の上面を覆うように配設し、被包装物本体上面保護部材と上面側内蓋部材の間に、被包装物の一部を構成するプレート状部材を収容するようにした場合、被包装物がプレート状部材を備えている場合に、このプレート状部材を、効率よく包装することができるようになる。
【００３９】
請求項５のように、本願発明の包装構造を、鍔部を備えた物品である乾燥器本体と、プレート状部材である天井取り付け用グリル板と、被包装物の一部を構成する換気ファン機構部とを備えた浴室暖房乾燥機の包装に適用した場合、複雑な包装作業を必要とすることなく、衝撃緩衝性能に優れた、信頼性の高い包装を行うことが可能になり、特に有意義である。
【００４０】
また、請求項６の包装構造のように、バンド状の締結部材により、底面側蓋部材と上面側外蓋部材の間に被包装物を保持、固定することにより、特に外箱などを必要とすることなく、衝撃緩衝性能に優れた、信頼性の高い包装を経済的に行うことができる。
【図面の簡単な説明】
【図１】  本願発明の一実施形態にかかる包装材の構成を示す分解斜視図である。
【図２】  本願発明の一実施形態にかかる包装材を用いた浴室暖房乾燥器の包装構造を示す分解斜視図である。
【図３】  本願発明の一実施形態にかかる包装材を用いて浴室暖房乾燥器を包装した状態を示す断面図である。
【図４】  本願発明の一実施形態にかかる包装材を用いて浴室暖房乾燥器を包装し、バンド状の締結部材により、底面側蓋部材と上面側外蓋部材の間に被包装物を保持、固定した状態を示す斜視図である。
【図５】  本願発明の一実施形態における被包装物を構成する換気ファン機構部の構成を示す分解斜視図である。
【符号の説明】
Ａ            包装材
１            乾燥器本体の鍔部
２            鍔部を備えた物品（乾燥器本体）
３            天井取り付け用グリル板
４            換気ファン機構部
４ａ          ファン機構部本体
４ｂ          部品を収容した部品箱
５            底面パッド
６            側面パッド
７            天パッド
８            ダンボール紙製の容器
９            被包装物本体
１１          段部
１２          端面側保持部材
１３          底面側蓋部材の底面部
１４          底面側蓋部材の側壁部
１５          底面側蓋部材
１６          上面側内蓋部材の上面部
１７          上面側内蓋部材の側壁部
１８          上面側内蓋部材
１９          被包装物本体上面保護部材
２０          上面側外蓋部材の上面部
２１          上面側外蓋部材の側壁部
２２          上面側外蓋部材
２３          バンド状の締結部材
【図１】
0004691243.tif 000002
【図２】
0004691243.tif 000003
【図３】
0004691243.tif 000004
【図４】
0004691243.tif 000005
【図５】
0004691243.tif 000006